(57)【要約】【課題】画像投写装置を用いてスクリーンに画像を投写する場合に行なう、ユーザの操作負担を軽減する他の技術を提供する。【解決手段】スクリーンを備えるスクリーン装置は、スクリーンが格納されるスクリーン格納部と、画像投写装置および周辺機器のうち、少なくとも一方に対して信号を発信する信号発信部と、信号発信部を制御する制御部と、を備え、制御部は、スクリーンのスクリーン格納部からの引き出し状態に応じて、信号発信部に信号を発信させる。【選択図】図１
2010134041.tif 000002
【特許請求の範囲】
【請求項１】
スクリーンを備えるスクリーン装置であって、
前記スクリーンが格納されるスクリーン格納部と、
画像投写装置および周辺機器のうち、少なくとも一方に対して信号を発信する信号発信部と、
前記信号発信部を制御する制御部と、
を備え、
前記制御部は
前記スクリーンの一端と、前記格納部との相対的な位置関係が変化した場合に、前記信号発信部に信号を発信させる、スクリーン装置。
【請求項２】
請求項１に記載のスクリーン装置において、
前記信号発信部は、
前記スクリーンが前記スクリーン格納部から引き出された場合には、前記画像投写装置に対して、前記画像投写装置の電源を投入するための信号を発信する、スクリーン装置。
【請求項３】
請求項１または２に記載のスクリーン装置であって、
前記信号発信部は、
前記スクリーンが前記スクリーン格納部に格納された場合には、前記画像投写装置に対して、前記画像投写装置の電源を切断するための信号を発信する、スクリーン装置。
【請求項４】
請求項１ないし３のいずれか一つに記載のスクリーン装置であって、
さらに、
前記制御部に供給される電力を発電する発電機を備え、
前記スクリーンは、巻き取り方式で前記スクリーン格納部に格納され、
前記発電機は、前記スクリーンの巻き取りおよび前記スクリーンの引き出し時の、スクリーン巻き取り芯の回転を利用して発電を行う、スクリーン装置。
【請求項５】
請求項１ないし４のいずれか一つに記載のスクリーン装置であって、
さらに、
前記スクリーン格納部から前記スクリーンが引き出されている場合に、前記スクリーンの前記引き出し方向の長さに関する長さ情報を取得する長さ情報取得部を備え、
前記信号発信部は、
前記長さ情報を示す長さ信号を、前記画像投写装置に対して発信する、スクリーン装置。
【請求項６】
請求項５に記載のスクリーン装置であって、
前記長さ情報取得部は、
前記長さ情報として、前記引き出されているスクリーンのアスペクト比に関する情報を取得する、スクリーン装置。
【請求項７】
スクリーン装置と、画像投写装置と、を備える画像投写システムであって、
前記スクリーン装置は、
スクリーンと、
前記スクリーンが格納されるスクリーン格納部と、
前記画像投写装置に対して信号を発信する信号発信部と、
前記スクリーンの一端と、前記格納部との相対的な位置関係が変化した場合に、前記信号発信部に信号を発信させる、制御部と、
前記スクリーン格納部から前記スクリーンが引き出されている場合に、前記スクリーンの前記引き出し方向の長さに基づいて、前記引き出されているスクリーンのアスペクト比に関する情報を取得するアスペクト比情報取得部と、
を備え、
前記信号発信部は、
画像投写装置に対して、前記アスペクト比に関する情報を示すアスペクト比信号を発信し、
前記画像投写装置は、
前記スクリーン装置から発信される信号を受信する受信部と、
受信した信号に基づいて、前記画像投写装置を制御する画像投写装置制御部と、
画像信号に対して画像処理を行う画像処理部と、
を備え、
前記画像投写装置制御部は、
前記アスペクト比信号を受信した場合に、前記アスペクト比信号に基づいて、前記画像処理部にアスペクト比変換処理を行わせる、画像投写システム。
【発明の詳細な説明】
【技術分野】
【０００１】
本発明は、スクリーンを備えるスクリーン装置に関する。
【背景技術】
【０００２】
例えば、プロジェクタを用いてスクリーンに映画の映像を投写して鑑賞する場合、ユーザは、格納されたスクリーンを引き出して、プロジェクタ、ＤＶＤプレーヤ、ＡＶアンプ等のＡＶ機器の電源を投入し、照明を落とす等、複数種類の操作を行なう。そのため、ユーザは、煩雑に感じることが多い。この問題を解決するために、従来は、プロジェクタの電源を投入すると、スクリーンが、電動で引き出される技術が提案されている（例えば、特許文献１参照。）。
【０００３】
【特許文献１】特開２００５−４３６８３号公報
【発明の開示】
【発明が解決しようとする課題】
【０００４】
本発明は、プロジェクタやオーバーヘッドプロジェクタ（Ｏｖｅｒｈｅａｄ  ｐｒｏｊｅｃｔｏｒ、以下「ＯＨＰ」と省略する。）等の画像投写装置を用いてスクリーンに画像を投写する場合に行なう、ユーザの操作負担を軽減する他の技術を提供することを目的とする。
【課題を解決するための手段】
【０００５】
本発明は、上述の課題の少なくとも一部を解決するためになされたものであり、以下の形態又は適用例として実現することが可能である。
【０００６】
［適用例１］  スクリーンを備えるスクリーン装置であって、前記スクリーンが格納されるスクリーン格納部と、画像投写装置および周辺機器のうち、少なくとも一方に対して信号を発信する信号発信部と、前記信号発信部を制御する制御部と、を備え、前記制御部は、前記スクリーンの一端と、前記格納部との相対的な位置関係が変化した場合に、前記信号発信部に信号を発信させる、スクリーン装置。
【０００７】
本明細書中において、画像投写装置とは、例えば、プロジェクタ、ＯＨＰ等を含む、スクリーンに画像を投写する装置をいう。また、周辺機器は、例えば、ＤＶＤ（Ｄｉｇｉｔａｌ Ｖｅｒｓａｔｉｌｅ Ｄｉｓｃ）プレーヤ、パーソナルコンピュータ、アンプ等のＡＶ（Ａｕｄｉｏ ａｎｄ Ｖｉｓｕａｌ）機器や、照明器具、カーテン等、画像投写装置によって、スクリーンに画像を投写して鑑賞する場合に用いる、種々の機器を含む。
【０００８】
本明細書中において、「スクリーンの一端と、格納部との相対的な位置関係が変化した場合」には、例えば、「格納部から完全にスクリーンが引き出される場合」、「格納部に完全にスクリーンが格納される場合」、「格納部からスクリーンの一部が引き出される場合（すなわち、格納部からスクリーンを引き出して、途中で止める場合）」、「格納部にスクリーンの一部が格納される場合（すなわち、引き出されているスクリーンを全て格納せず、途中で止める場合）」等が含まれる。すなわち、スクリーンの全てが引き出される、または格納されるか否かに関わらず、スクリーンの一端と、格納部との相対的な位置関係が変化した場合に、信号が発信される。
【０００９】
このスクリーン装置によれば、画像投写装置や周辺機器が、スクリーン装置から発信される信号に基づいて動作するように構成されていると、ユーザは、スクリーンを操作することにより、他の機器の操作を少なくとも一つは省略することができる。したがって、ユーザの操作負担を軽減することができる。
【００１０】
［適用例２］  適用例１に記載のスクリーン装置であって、前記信号発信部は、前記スクリーンが前記スクリーン格納部から引き出された場合には、前記画像投写装置に対して、前記画像投写装置の電源を投入するための信号を発信する、スクリーン装置。
【００１１】
このスクリーン装置から発信される信号を受信して動作する画像投写装置を用いれば、ユーザがスクリーンをスクリーン格納部から引き出すと、画像投写装置の電源が投入される。その結果、ユーザの操作負担を軽減することができる。
【００１２】
［適用例３］  適用例１または２に記載のスクリーン装置において、前記信号発信部は、前記スクリーンが前記スクリーン格納部に格納された場合には、前記画像投写装置に対して、前記画像投写装置の電源を切断するための信号を発信する、スクリーン装置。
【００１３】
このスクリーン装置から発信される信号を受信して動作する画像投写装置を用いれば、ユーザがスクリーンをスクリーン格納部に格納すると、画像投写装置の電源が切断される。その結果、ユーザの操作負担を軽減することができる。
【００１４】
［適用例４］  適用例１ないし３のいずれかに記載のスクリーン装置において、さらに、前記制御部に供給される電力を発電する発電機を備え、前記スクリーンは、巻き取り方式で前記スクリーン格納部に格納され、前記発電機は、前記スクリーンの巻き取りおよび前記スクリーンの引き出し時の、スクリーン巻き取り芯の回転を利用して発電を行う、スクリーン装置。
【００１５】
このスクリーン装置によれば、発電機を備えるため、外部電源の電力消費量を低減することができる。また、例えば、スクリーン装置が備える発電機による発電だけで、制御部や、信号発信部に供給される電力等を賄うことができれば、外部電源と接続する必要がなくなるため、配線を減らすことができる。
【００１６】
［適用例５］  適用例１ないし４のいずれか一つに記載のスクリーン装置において、請求項１ないし４のいずれか一つに記載のスクリーン装置であって、さらに、前記スクリーン格納部から前記スクリーンが引き出されている場合に、前記スクリーンの前記引き出し方向の長さに関する長さ情報を取得する長さ情報取得部を備え、前記信号発信部は、前記長さ情報を示す長さ信号を、前記画像投写装置に対して発信する、スクリーン装置。
【００１７】
このスクリーン装置によれば、スクリーンの引き出し方向の長さに関する長さ情報を示す長さ信号が発信される。そのため、例えば、画像投写装置において、その信号に基づいて、スクリーンに投写する画像の大きさを変更することができる。また、画像投写装置において、受信した信号から得られるスクリーンの長さに基づいて、適切なアスペクト比を求めて、スクリーンに投写する画像のアスペクト比を変更することができる。
【００１８】
［適用例６］  適用例５に記載のスクリーン装置において、前記長さ情報取得部は、前記長さ情報として、前記引き出されているスクリーンのアスペクト比に関する情報を取得する、スクリーン装置。
【００１９】
このスクリーン装置によれば、スクリーンのアスペクト比に関する情報を示す信号が発信される。そのため、例えば、画像投写装置は、その信号に基づいて、スクリーンに投写される画像のアスペクト比を変更することができる。
【００２０】
この発明は、種々の形態で実現することが可能であり、例えば、スクリーン装置から発信される信号に基づいて動作する画像投写装置や周辺機器、スクリーン装置と画像投写装置を備える画像投写システム、これらの装置を制御するための制御方法、これらの装置の機能を実現するためのコンピュータプログラム、そのコンピュータプログラムを記録した記録媒体等の形態で実現することができる。
【発明を実施するための最良の形態】
【００２１】
Ａ．第１の実施例：
図１は、第１の実施例のプロジェクタシステム１０００の構成を概念的に示す説明図である。プロジェクタシステム１０００は、本発明の第１の実施例としてのスクリーン装置１００Ａと、画像投写装置としてのプロジェクタ２００Ａと、を備える。スクリーン装置１００Ａは、スクリーン１０２Ａをスクリーン格納部１０６内に巻き取り方式で格納可能に構成されている。なお、本実施例において、画像投射装置の一例として、プロジェクタ２００Ａを例示しているが、例えば、ＯＨＰ等、他の画像を投写する装置であってもよい。
【００２２】
図１（Ａ）に示すように、スクリーン１０２Ａがスクリーン格納部１０６から引き出されると、ＩＲ（ｉｎｆｒａｒｅｄ  Ｒａｙ：赤外線）信号発信部１１０からプロジェクタ２００Ａの電源ＯＮ信号が発信され、プロジェクタ２００Ａの電源が投入される。また、図１（Ｂ）に示すように、スクリーン１０２Ａがスクリーン格納部１０６に格納されると、ＩＲ信号発信部１１０Ａからプロジェクタ２００Ａの電源ＯＦＦ信号が発信され、プロジェクタ２００Ａの電源が切断される。
【００２３】
図２は、スクリーン装置１００Ａの概略構成を示すブロック図である。スクリーン装置１００Ａは、スクリーン１０２Ａと、巻き取り部１０４と、スクリーン格納部１０６と、センサ１０８Ａと、ＩＲ信号発信部１１０Ａと、電源部１１２と、ＣＰＵ１１４Ａと、メモリ１１６と、を主に備える。
【００２４】
スクリーン１０２Ａには、スクリーン１０２Ａをスクリーン格納部１０６から引き出したり、格納する際に、ユーザが把持する把持部１０２ａが取り付けられている。スクリーン１０２Ａは、使用されない場合は、巻き取り部１０４に巻き取られて、図１（Ｂ）に示すように、スクリーン格納部１０６内に格納されている。スクリーン１０２Ａが使用される場合、ユーザは、把持部１０２ａを把持して、下方に向けて引っ張ると、図１（Ａ）に示すように、スクリーン１０２Ａがスクリーン格納部１０６から引き出される。なお、本実施例では、スクリーン１０２Ａが、スクリーン格納部１０６から下方に引き出される構成を示しているが、例えば、横方向に引き出される構成にしてもよいし、スクリーン格納部１０６から上方に引き出される構成にしてもよい。
【００２５】
巻き取り部１０４は、巻き取り芯１０４ａを備え、巻き取り芯１０４ａが回転することにより、スクリーン１０２Ａを、引き出したり、巻き取ることができる。スクリーン格納部１０６は、巻き取り部１０４に巻き取られたスクリーン１０２Ａを格納する。また、スクリーン格納部１０６は、ＩＲ信号発信部１１０Ａ、電源部１１２、ＣＰＵ１１４Ａ、メモリ１１６を内蔵する。
【００２６】
センサ１０８Ａは、スクリーン１０２Ａがスクリーン格納部１０６から引き出されたことと、スクリーン１０２Ａがスクリーン格納部１０６に格納されたことを検出する。本実施例において、センサ１０８Ａは、簡単なスイッチであり、スクリーン格納部１０６と把持部１０２ａとの接触の有無により、ＯＮ／ＯＦＦされる。本実施例において、センサ１０８ＡがＯＮの場合には、スクリーン１０２Ａがスクリーン格納部１０６に格納されていることを意味し、センサ１０８ＡがＯＦＦの場合には、スクリーン１０２Ａがスクリーン格納部１０６から引き出されていることを意味する。
【００２７】
ＩＲ信号発信部１１０Ａは、ＣＰＵ１１４Ａからの指示に基づいて、プロジェクタ２００Ａ（図１）の電源を投入するための電源ＯＮ信号、およびプロジェクタ２００Ａの電源を切断するための電源ＯＦＦ信号を赤外線信号にて出力する。ＩＲ信号発信部１１０Ａは、プロジェクタ２００Ａに付属するリモコン７２（図３）から発信される電源ＯＮ／ＯＦＦ信号と同一の信号を出力する。
【００２８】
電源部１１２は、ＡＣ１００Ｖ等の商用電源３１０を入力して、スクリーン装置１００Ａの動作に必要な直流の電源電圧を生成して、各部に電力を供給する。ＣＰＵ１１４Ａは、メモリ１１６に記憶された制御プログラムを読み出して実行することにより、ＩＲ信号発信部１１０Ａの動作を制御する。ＣＰＵ１１４Ａは、センサ１０８ＡのＯＮ／ＯＦＦ信号に基づいて、ＩＲ信号発信部１１０Ａに、電源ＯＮ／ＯＦＦ信号を発信させる。例えば、センサ１０８Ａからの出力がＯＮ信号からＯＦＦ信号に変化したとき（すなわち、スクリーン１０２Ａがスクリーン格納部１０６から引き出されたとき）、ＩＲ信号発信部１１０Ａに電源ＯＮ信号を発信させる。また、センサ１０８Ａからの出力がＯＦＦ信号からＯＮ信号に変化したとき(すなわち、スクリーン１０２Ａがスクリーン格納部１０６に格納されたとき)、ＩＲ信号発信部１１０Ａに電源ＯＦＦ信号を発信させる。
【００２９】
図３は、プロジェクタ２００Ａの概略構成を示すブロック図である。プロジェクタ２００Ａは、電源部２０２と、ＣＰＵ２０４と、画像処理部２０６Ａと、メモリ２０８と、外部信号入力部２１０と、光ディスク駆動部２１２と、ＩＲ信号受信部２１４と、光源ランプ２５２と、液晶パネル２５４と、投写光学系２５６と、を主に備える。
【００３０】
電源部２０２は、ＡＣ１００Ｖ等の商用電源３２０を入力して、プロジェクタ２００Ａの各種動作に必要な直流の電源電圧を生成したり、光源ランプ２５２を駆動させるための光源駆動電力を生成して、各部に電力を供給（出力）する。
【００３１】
ＣＰＵ２０４は、メモリ２０８に記憶された制御プログラムを読み出して実行することにより、プロジェクタ２００Ａ内の各部の動作を制御する。また、上記した、スクリーン装置１００Ａから発信されるＩＲ信号を、ＩＲ信号受信部２１４（後述する）を通じて受け取り、電源部２０２を制御する。
【００３２】
画像処理部２０６Ａは、外部信号入力部２１０や光ディスク駆動部２１２から供給される画像データに対して、画像処理を施して、処理済み画像データを、液晶パネル２５４に供給する。
【００３３】
外部信号入力部２１０は、例えば、外部接続用コネクタ(図示しない)に接続されたＰＣ（パーソナルコンピュータ）、光ディスクプレーヤ、外部メモリ等、外部から供給される画像音声データに基づいて、画像データおよび音声データを生成し、画像処理部２０６Ａや、図示せざる音声処理部に供給する。
【００３４】
光ディスク駆動部２１２は、例えば、ＤＶＤやＢＤ（ブルーレイディスク：Blu-ray Disc（登録商標））等の光ディスク４００を、装着可能に構成され、装着された光ディスク４００から読み出した画像音声データに基づいて、画像データおよび音声データを生成し、画像処理部２０６Ａや、図示せざる音声処理部に供給する。
【００３５】
ＩＲ信号受信部２１４は、リモコン７２を通じたユーザからの指示を受信して、ＣＰＵ２０に伝える。また、上記したスクリーン装置１００Ａから発信されるＩＲ信号を、受信してＣＰＵ２０に伝える。なお、本実施例では、プロジェクタ２００Ａは、ユーザからの指示を、リモコン７２およびＩＲ信号受信部２１４を通じて受け取るものとしているが、ユーザからの指示を例えば操作パネルなどの他の構成を通じて受け取るものとすることも可能である。
【００３６】
光源ランプ２５２は、液晶パネル２５４に光を照射するものであって、例えば、高圧水銀ランプ、超高圧水銀ランプ等のランプ類や固体光源、その他の発光体を備えて構成される。光源ランプ２５２は、電源部２０２で生成された光源駆動電力により点灯動作を行なう。液晶パネル２５４は、透過型の液晶パネルと液晶パネル駆動部を備え、画像処理部２０６Ａから与えられる画像データに基づいて、光源ランプ２５２から射出された光を変調し、画像を表す光を射出する。
【００３７】
投写光学系２５６は、投写レンズを備え、液晶パネル２５４から射出された光をスクリーン１０２Ａ上に投写し、この結果、スクリーン１０２Ａ上に画像が表示される。
【００３８】
ユーザが、本実施例のプロジェクタシステム１０００を用いる場合のプロジェクタシステム１０００の動作について、図１〜３に基づいて説明する。ユーザが、把持部１０２ａを把持して、スクリーン１０２Ａをスクリーン格納部１０６から引き出すと（図１(Ａ)）、スクリーン装置１００Ａのセンサ１０８Ａ（図２）がＯＦＦになる。センサ１０８Ａからの出力信号がＯＮからＯＦＦに変更されると、ＣＰＵ１１４Ａは、ＩＲ信号発信部１１０Ａに電源ＯＮ信号を出力させる。プロジェクタ２００ＡのＩＲ信号受信部２１４（図３）が、電源ＯＮ信号を受信すると、ＣＰＵ２０４は、電源部２０２を制御して、各部に電力を供給させる。すなわち、ユーザがスクリーン装置１００Ａのスクリーン１０２Ａを引き出すと、プロジェクタ２００Ａの電源が自動的に投入され、プロジェクタ２００Ａが始動する（図１（Ａ））。
【００３９】
ユーザは、例えば、光ディスク４００を光ディスク駆動部２１２（図３）に挿入して、光ディスク４００に記録されている映像を鑑賞する。ユーザは、映像の鑑賞を終えると、把持部１０２ａを把持して、スクリーン１０２Ａをスクリーン格納部１０６に格納する（図１（Ｂ））。スクリーン１０２Ａがスクリーン格納部１０６に格納されると、スクリーン装置１００Ａのセンサ１０８Ａ（図２）がＯＮになる。センサ１０８Ａからの出力信号がＯＦＦからＯＮに変更されると、ＣＰＵ１１４Ａは、ＩＲ信号発信部１１０Ａに電源ＯＦＦ信号を出力させる。プロジェクタ２００ＡのＩＲ信号受信部２１４（図３）が、電源ＯＦＦ信号を受信すると、ＣＰＵ２０４は、電源部２０２を制御して、各部に対する電力の供給を停止させる。すなわち、ユーザがスクリーン装置１００Ａのスクリーン１０２Ａを格納すると、プロジェクタ２００Ａの電源が自動的に切断される（図１（Ｂ））。
【００４０】
以上説明したように、本実施例のプロジェクタシステム１０００によれば、ユーザが１００Ａのスクリーン１０２Ａを引き出すと、プロジェクタ２００Ａの電源が自動的に投入され、ユーザが１００Ａのスクリーン１０２Ａを格納すると、プロジェクタ２００Ａの電源が自動的に切断される。すなわち、ユーザがスクリーン装置１００Ａを操作すると、プロジェクタ２００Ａの電源がＯＮ／ＯＦＦされるため、例えば、ユーザがプロジェクタ２００Ａの電源ボタン（図示しない）を操作したり、リモコン７２を操作して、電源をＯＮ／ＯＦＦする操作負担が軽減される。
【００４１】
Ｂ．第２の実施例：
第２の実施例におけるプロジェクタシステムでは、スクリーン装置１００Ｂの構成が第１の実施例と異なるものの、プロジェクタの構成は第１の実施例と同一であるため、プロジェクタの構成の説明は省略する。図４は、本発明の第２の実施例としてのスクリーン装置１００Ｂの概略構成を示すブロック図である。本実施例のスクリーン装置１００Ｂが、第１の実施例のスクリーン装置１００Ａと異なる点は、電源部１１２の代わりに発電機１２０を備える点と、センサ１０８Ｂがセンサ１０８Ａと異なる点である。その他の構成は、第１の実施例と同一であるため、説明を省略する。
【００４２】
発電機１２０は、巻き取り部１０４の備える巻き取り芯１０４ａの回転エネルギーから、スクリーン装置１００Ｂの動作に必要な電力を生成して、各部に供給する。センサ１０８Ｂは、巻き取り芯１０４ａの回転方向を検出して、回転方向を示す信号を出力する。
【００４３】
図５は、スクリーン装置１００Ｂの動作を説明するための図である。ユーザによって、スクリーン１０２Ａ（図４）の引き出しか巻き取りが開始されると（ステップＳ１０２）、発電機１２０（図４）において、発電が開始される（ステップＳ１０４）。発電機１２０によって発電された電力がＣＰＵ１１４Ａ（図４）に供給されると、ＣＰＵ１１４Ａが始動する（ステップＳ１０６）。
【００４４】
ＣＰＵ１１４Ａは、センサ１０８Ｂから出力される検出信号に基づいて、スクリーン１０２Ａが引き出されたのか巻き取られたのか判断する（ステップＳ１０８）。ＣＰＵ１１４Ａは、スクリーン１０２Ａが引き出されたと判断すると（ステップＳ１０８において「引き出し」）、ＩＲ信号発信部１１０Ａを制御して、プロジェクタの電源ＯＮ信号を発信させる（ステップＳ１１０）。一方、ＣＰＵ１１４Ａは、スクリーン１０２Ａが巻き取られたと判断すると（ステップＳ１０８において「巻き取り」）、ＩＲ信号発信部１１０Ａを制御して、プロジェクタの電源ＯＦＦ信号を発信させる（ステップＳ１１０）。プロジェクタは、スクリーン装置１００Ｂからの電源ＯＮ／ＯＦＦ信号を受信して、電源をＯＮ／ＯＦＦする。
【００４５】
以上説明したように、本実施例のスクリーン装置１００Ｂによれば、発電機１２０を備えるため、外部電源の電力消費を節減することができる。また、発電機１２０を備えるため、外部電源と接続する必要がなくなり、配線を減らすことができる。
【００４６】
Ｃ．第３の実施例：
図６は、第３の実施例としてのスクリーン装置１００Ｃの概略構成を示すブロック図である。第３の実施例のスクリーン装置１００Ｃでは、第２の実施例におけるスクリーン装置１００Ｂの構成に加えて、長さ情報取得部１１８を備える。また、スクリーン１０２Ｃ、センサ１０８Ｃ、ＣＰＵ１１４Ｃ、ＩＲ信号発信部１１０Ｃの構成が、第２の実施例と異なる。他の各部の構成は第２の実施例と同様であるため、同一の符号を付して、その説明を省略する。
【００４７】
図７は、スクリーン装置１００Ｃの外観を概略的に示す説明図である。スクリーン１０２Ｃは、横幅ｗの略長方形を成す。本実施例において、スクリーン１０２Ｃがスクリーン格納部１０６から引き出され、露出している部分の縦方向の長さ（高さｈ）は、任意に設定することができる。すなわち、ユーザは、スクリーン１０２Ｃをスクリーン格納部１０６から引き出して、任意の位置で止めることができる。
【００４８】
スクリーン１０２Ｃの、画像が投写される領域を含む大部分の領域は、投写された画像をユーザが鑑賞するのに適した反射率に形成されている（Ａ面）。スクリーン１０２Ｃの一方の短辺には、図７に拡大して示すように、Ａ面と反射率の異なるＢ面が、離間距離を一定に保って、配置されている。後述するように、Ａ面とＢ面の反射率の違いを利用して、スクリーン１０２Ｃの高さｈが求められる。
【００４９】
センサ１０８Ｃは、例えば、光センサであり、反射率を検出する。スクリーン１０２Ｃが引き出されたり、巻き取られて、Ａ面とＢ面とが交互にセンサ１０８Ｃを通過すると、センサ１０８Ｃは、Ａ面とＢ面との反射率を検知して、出力する。また、巻き取り部１０４の巻き取り芯１０４ａの回転方向を検出して、回転方向を示す信号を出力する。
【００５０】
長さ情報取得部１１８は、センサ１０８Ｃから出力される反射率に基づいて、Ａ面とＢ面の繰り返しをカウントする。そして、長さ情報取得部１１８は、センサ１０８Ｃから出力される巻き取り芯１０４ａの回転方向と、カウント結果に基づいて、スクリーン１０２Ｃがスクリーン格納部１０６から引き出されて、露出している部分の高さｈを算出する。
【００５１】
ＣＰＵ１１４Ｃは、スクリーン１０２Ｃが引き出された場合には、ＩＲ信号発信部１１０Ｃを制御して、プロジェクタ２００Ｃの電源ＯＮ信号を発信させると共に、長さ情報取得部１１８にて算出された高さｈと、スクリーン１０２Ｃの横幅ｗとを示す長さ信号を発信させる。また、ＣＰＵ１１４Ｃは、スクリーン１０２Ｃが格納された場合には、ＩＲ信号発信部１１０Ｃを制御して、プロジェクタ２００Ｃの電源ＯＦＦ信号を発信させる。
【００５２】
図８は、プロジェクタ２００Ｃの概略構成を示すブロック図である。第３の実施例のプロジェクタ２００Ｃは、第１の実施例のプロジェクタ２００Ａの構成に加え、アスペクト比算出部２１６を備える。また、プロジェクタ２００Ｃは、画像処理部２０６Ｃの構成が、第１の実施例のプロジェクタ２００Ａと異なる。その他の構成は、第１の実施例と同様であるため、同一の符号を付して、その説明を省略する。
【００５３】
アスペクト比算出部２１６は、ＩＲ信号受信部２１４によって受信される長さ信号（横幅ｗ，高さｈ）に基づいて、スクリーン１０２Ｃがスクリーン格納部１０６から引き出されて、露出している部分のアスペクト比を算出する。後述する画像処理部２０６Ｃは、入力された画像データに基づいて、予め定められたアスペクト比に変換可能に構成されている。予め定められたアスペクト比は、例えば、２：１、１６：９、１６：１０、４：３である。アスペクト比算出部２１６は、算出されたアスペクト比を、予め定められたアスペクト比に近似して、「スクリーンアスペクト比」として、画像処理部２０６Ｃに出力する。
【００５４】
画像処理部２０６Ｃは、アスペクト比設定部２２６Ｃを備える。アスペクト比設定部２２６Ｃは、アスペクト比算出部２１６から出力された「スクリーンアスペクト比」に基づいて、スクリーン１０２Ｃに投写される画像のアスペクト比を設定する。具体的には、アスペクト比設定部２２６Ｃは、画像処理部２０６Ｃにおけるアスペクト比の変換処理に用いられる「アスペクト比パラメータ」を設定する。画像処理部２０６Ｃは、アスペクト比設定部２２６Ｃにおいて設定されたアスペクト比パラメータに基づいて、画像処理部２０６Ｃに入力される画像データに対して、アスペクト比の変換処理を含む画像処理を施して、処理済み画像データを、液晶パネル２５４に供給する。
【００５５】
図９は、スクリーン装置１００Ｃの動作を説明するための図である。ユーザによって、スクリーン１０２Ｃの引き出しか巻き取りが開始されると、第２の実施例と同様に、発電機１２０において発電が開始され、ＣＰＵ１１４Ｃが始動する（ステップＵ１０２〜１０６）。
【００５６】
長さ情報取得部１１８は、センサ１０８Ｃの検出結果に基づいて、高さｈを算出する（ステップＵ１０８）。スクリーン装置１００Ｃの動きが停止すると（ステップＵ１１０）、ＣＰＵ１１４Ｃは、長さ情報取得部１１８の算出結果に基づいて、高さｈ＝０か否か判断する（ステップＵ１１２）。
【００５７】
本実施例において、高さｈ＝０の場合は、スクリーン１０２Ｃがスクリーン格納部１０６に格納されたことを意味する。高さｈ＝０でないときは、スクリーン装置１００Ｃがスクリーン格納部１０６から引き出された状態であることを意味している。すなわち、ｈ＝０でないときは、スクリーン１０２Ｃがスクリーン格納部１０６に格納された状態から引き出された場合と、スクリーン１０２Ｃが巻き取られて、途中で巻き取りが停止され、スクリーン１０２Ｃがスクリーン格納部１０６から引き出された状態で露出している場合がある。
【００５８】
高さｈ＝０の場合は（ステップＵ１１２において、ＹＥＳ）、ＩＲ信号発信部１１０Ｃを制御して、プロジェクタ２００Ｃの電源ＯＦＦ信号を発信させる（ステップＵ１１３２０）。
【００５９】
高さ＝０でない場合は（ステップＵ１１２において、ＮＯ）、プロジェクタ２００Ｃの電源ＯＮ信号を発信させると共に（ステップＵ１１６）、スクリーンの横幅ｗと高さｈを示す「長さ信号」を発信させる（ステップＵ１１８）。
【００６０】
図１０は、プロジェクタ２００Ｃの動作を説明するための図である。ＩＲ信号受信部２１４が、スクリーン装置１００Ｃから電源ＯＮ信号を受信すると（ステップＴ１０２において、ＹＥＳ）、ＣＰＵ２０４は、電源部２０２を制御して、各部に電力を供給させる。続いて、ＩＲ信号受信部２１４が長さ信号を受信すると（ステップＴ１０６において、ＹＥＳ）、アスペクト比算出部２１６は、受信された長さ情報に基づいて、上記のとおり、スクリーンアスペクト比を算出して、画像処理部２０６Ｃに出力する（ステップＴ１０８）。画像処理部２０６Ｃのアスペクト比設定部２２６Ｃは、アスペクト比算出部２１６にて算出されたアスペクト比に基づいて、スクリーン１０２Ｃに投写される画像のアスペクト比を設定する（ステップＴ１１０）。
【００６１】
なお、上記したように、本実施例において、スクリーン１０２Ｃが巻き取られて、途中で巻き取りが停止された場合にも、スクリーン装置１００Ｃからプロジェクタ２００Ｃの電源ＯＮ信号が発信される。プロジェクタ２００ＣのＩＲ信号受信部２１４が電源ＯＮ信号を受信すると、ＣＰＵ１１４Ｃは電源部２０２を制御して、各部に電力を供給させる。例えば、一旦、スクリーン１０２Ｃを全部引き出した後、少し巻き取って、スクリーン１０２Ｃの引き出し状態を調整する場合がある。このような場合は、スクリーン１０２Ｃから電源ＯＮ信号を受信する以前に、プロジェクタ２００Ｃは既に電源ＯＮ状態になっているので、電源ＯＮ状態が引き続き維持される。そして、プロジェクタ２００Ｃにおいて、アスペクト比の再設定が行なわれる。
【００６２】
ＩＲ信号受信部２１４が、スクリーン装置１００Ｃから電源ＯＮ信号を受信せず（ステップＴ１０２において、ＮＯ）、電源ＯＦＦ信号を受信すると（ステップＴ１１２）、ＣＰＵ２０４は、電源部２０２を制御して、各部への電力の供給を停止させる。
【００６３】
以上説明したように、本実施例のスクリーン装置１００Ｃによれば、スクリーン１０２Ｃがスクリーン格納部１０６から引き出されると、スクリーン格納部１０６から引き出されて露出しているスクリーン１０２Ｃの高さｈと、スクリーンの横幅ｗを示す長さ信号が発信される。したがって、プロジェクタ２００Ｃにおいて、高さｈと横幅ｗに基づいて、引き出されたスクリーン１０２Ｃのアスペクト比に適する表示画像のアスペクト比を導出して、アスペクト比パラメータを設定することができる。したがって、ユーザは、スクリーン１０２Ｃを引き出すだけで、プロジェクタ２００Ｃを操作して、表示画像のアスペクト比の設定をしなくても、引き出されたスクリーン１０２Ｃに適するアスペクト比に調整された画像を鑑賞することができる。
【００６４】
また、スクリーン装置１００Ｃから長さ信号が発信されない場合には、例えば、スクリーンのアスペクト比を検知するために、プロジェクタ２００Ｃ側にカメラを備えて、カメラによる撮像画像に基づいて、アスペクト比を算出していた。これに対し、本実施例では、スクリーン装置１００Ｃから長さ信号が発信されるため、プロジェクタ２００Ｃにおいて、カメラ等の機器を追加しなくても、アスペクト比の調整を行なうことができるため、プロジェクタ２００Ｃの構成を簡素化することができる。
【００６５】
Ｄ．第４の実施例：
図１１は、第４の実施例としてのスクリーン装置１００Ｄの概略構成を示すブロック図である。第４の実施例のスクリーン装置１００Ｄでは、第３の実施例におけるスクリーン装置１００Ｃにおける長さ情報取得部１１８に代えて、アスペクト比算出部１２２を備える。また、ＣＰＵ１１４ＤとＩＲ信号発信部１１０Ｄの構成が、第３の実施例と異なる。他の各部の構成は第３の実施例と同様であるため、同一の符号を付して、その説明を省略する。
【００６６】
アスペクト比算出部１２２は、センサ１０８Ｃの検知結果に基づいて、スクリーン１０２Ｃがスクリーン格納部１０６から引き出されて、露出している部分の高さｈを算出する。アスペクト比算出部１２２は、内部メモリ（図示しない）に記憶されている、スクリーン１０２Ｃの横幅ｗと、算出された高さｈとから、スクリーン格納部１０６から引き出されて、露出しているスクリーン１０２Ｃのアスペクト比を算出する。ここで、アスペクト比算出部１２２は、算出されたアスペクト比を、プロジェクタ２００Ｄ（後述する）において、予め定められているアスペクト比に近似して、「スクリーンアスペクト比」とする。例えば、スクリーンアスペクト比は、２：１、１６：９、１６：１０、４：３に、近似される。
【００６７】
ＣＰＵ１１４Ｄは、スクリーン１０２Ｃが引き出された場合には、ＩＲ信号発信部１１０Ｄを制御して、プロジェクタ２００Ｄの電源ＯＮ信号を発信させると共に、アスペクト比算出部１２２にて算出されたスクリーンアスペクト比を示す「アスペクト比信号」を発信させる。また、ＣＰＵ１１４Ｄは、スクリーン１０２Ｃが格納された場合には、ＩＲ信号発信部１１０Ｄを制御して、プロジェクタ２００Ｄの電源ＯＦＦ信号を発信させる。
【００６８】
図１２は、プロジェクタ２００Ｄの概略構成を示すブロック図である。第４の実施例のプロジェクタ２００Ｄは、第３の実施例の２００Ｃと比較すると、アスペクト比算出部２１６がなく、アスペクト比設定部２２６Ｄの構成が異なる。その他の各部の構成は、第３の実施例と同様であるため、同一の符号を付して、その説明を省略する。
【００６９】
画像処理部２０６Ｄのアスペクト比設定部２２６Ｄは、ＩＲ信号受信部２１４によって受信されるアスペクト比信号に基づいて、スクリーン１０２Ｃに投写される画像のアスペクト比を設定する。具体的には、アスペクト比設定部２２６Ｄは、画像処理部２０６Ｄにおけるアスペクト比の変換処理に用いられるアスペクト比パラメータを設定する。画像処理部２０６Ｄは、入力された画像データに基づいて、予め定められたアスペクト比に変換可能に構成されている。上記したように、スクリーン装置１００Ｄでは、画像処理部２０６Ｄにおいて予め定められているアスペクト比のうちのいずれかの値を、スクリーンアスペクト比として、アスペクト比信号を出力している。したがって、画像処理部２０６Ｄは、アスペクト比設定部２２６Ｄにおいて設定されたアスペクト比パラメータに基づいて、画像処理部２０６Ｃに入力される画像データに対して、アスペクト比の変換処理を含む画像処理を施して、処理済み画像データを、液晶パネル２５４に供給することができる。
【００７０】
図１３は、スクリーン装置１００Ｄの動作を説明するための図である。スクリーン装置１００Ｄの動作のうち、ステップＵ２０２〜Ｕ２１３は、第３の実施例のスクリーン装置１００ＣのステップＵ１０２〜Ｕ１１３と同様であるため、説明を省略する。但し、ステップＵ２０８において、アスペクト比算出部１２２が高さｈを算出し、ステップＵ２１２において、ＣＰＵ１１４Ｄは、アスペクト比算出部１２２から出力される高さｈが０か否かを判断している。
【００７１】
高さ＝０でない場合は（ステップＵ２１２において、ＮＯ）、ＣＰＵ１１４Ｄは、アスペクト比算出部１２２にスクリーンアスペクト比を算出させる（ステップＵ２１４）。そして、ＣＰＵ１１４Ｄは、ＩＲ信号発信部１１０Ｄを制御して、プロジェクタ２００Ｃの電源ＯＮ信号を発信させると共に（ステップＵ２１６）、アスペクト比信号を発信させる（ステップＵ２１８）。
【００７２】
図１４は、プロジェクタ２００Ｄの動作を説明するための図である。第３の実施例におけるプロジェクタ２００Ｃの動作と異なる点について説明する。プロジェクタ２００Ｄにおいて、ＩＲ信号受信部２１４は、スクリーン装置１００Ｄから電源ＯＮ信号を受信した（ステップＴ２０２）後、アスペクト比信号を受信する（ステップＴ２０６）。ＩＲ信号受信部２１４がアスペクト比信号を受信すると（ステップＴ２０６）、アスペクト比設定部２２６Ｄは、受信したアスペクト比信号に基づいて、スクリーン１０２Ｃに投写される画像のアスペクト比を設定する（ステップＴ２１０）。
【００７３】
以上説明したように、本実施例のスクリーン装置１００Ｄによれば、スクリーン１０２Ｃがスクリーン格納部１０６から引き出されると、スクリーン格納部１０６から引き出されて露出しているスクリーン１０２Ｃの高さｈと、スクリーンの横幅ｗに基づいて、スクリーンアスペクト比が算出され、アスペクト比信号が発信される。したがって、プロジェクタ２００Ｄでは、受信したアスペクト比信号に基づいて、画像処理部２０６Ｄにおけるアスペクト比変換処理に用いられるアスペクト比パラメータを設定する。すなわち、第３の実施例のように、プロジェクタ２００Ｄにおいて、引き出されたスクリーン１０２Ｃのアスペクト比に適する表示画像のアスペクト比を導出する必要はない。したがって、第３の実施例のプロジェクタ２００Ｃと比較して、プロジェクタ２００Ｄの構成を簡素化することができる。
【００７４】
Ｅ．変形例
なお、本発明は上記した実施例に限られるものではなく、その要旨を逸脱しない範囲において種々の態様にて実施することが可能である。
【００７５】
（１）上記した実施例において、スクリーン装置は、スクリーンがスクリーン格納部から引き出されたり、格納された場合に、プロジェクタに対して信号を発信しているが、信号の発信先は、プロジェクタに限定されず、プロジェクタの周辺機器に対して発信するようにしてもよい。例えば、スクリーンがスクリーン格納部から引き出された場合に、プロジェクタに画像データを供給するためのＤＶＤプレーヤや、アンプ等のＡＶ機器の電源を投入させる電源ＯＮ信号を発信する構成としてもよい。また、スクリーンがスクリーン格納部に格納された場合に、ＡＶ機器の電源を切断するための電源ＯＦＦ信号を発信する構成にしてもよい。また、スクリーンが設置された部屋の照明をＯＮ／ＯＦＦするための信号や、カーテンを開閉するための信号を発信する構成にしてもよい。このような構成にしても、ユーザは、格納型スクリーンの引き出し／格納操作を行なうことにより、周辺機器の操作のうち、いくつかの操作が自動的になされるため、ユーザの操作負担が軽減される。
【００７６】
（２）上記した第１の実施例では、巻き取り式のスクリーン１０２Ａを例示しているが、スクリーンは、巻き取り式に限定されない。例えば、蛇腹式、折りたたみ式等、スクリーン１０２Ａを使用しない場合に、スクリーン格納部１０６にコンパクトに格納でき、使用時に容易に広げられるような構成であればよい。
【００７７】
（３）上記した第１の実施例において、ユーザが人力でスクリーン１０２Ａを引き出したり、格納する構成を例示したが、スクリーン装置１００Ａは、電動でスクリーン１０２Ａの引き出しおよび格納を行なう構成にしてもよい。このような場合でも、例えば、ユーザが、スクリーン装置のボタンやリモコン（図示しない）を操作して、スクリーンの引き出しまたは格納を行なえば、プロジェクタを操作しなくても、電源をＯＮ／ＯＦＦすることができるため、ユーザの操作負担を軽減することができる。
【００７８】
（４）上記した第３の実施例において、スクリーン装置１００Ｃは、横幅ｗと高さｈを示す長さ信号を発信しているが、長さ信号として高さｈのみを示す信号を発信する構成にしてもよい。例えば、プロジェクタ２００Ｃ側において、プロジェクタ２００Ｃの横幅ｗの情報を保持していると、高さｈに関する長さ信号を受信すれば、スクリーンアスペクト比を算出することができる。また、プロジェクタ２００Ｃにおいて、アスペクト比は変更せず、高さｈに基づいて、投射画像のサイズを変更する構成にしてもよい。
【００７９】
（５）上記した第３の実施例において、センサ１０８Ｃは、反射率を検出するものを例示したが、その他、種々のセンサを用いることができる。例えば、センサ１０８Ｃとして、磁気センサを用い、スクリーン１０２ＣのＢ面に磁気塗装を施す構成にしてもよい。また、例えば、スクリーン１０２Ｃに高さｈの数字を記載して、センサ１０８Ｃにおいて、数字を読み取る構成にしてもよい。
【００８０】
（６）上記した第３の実施例において、高さｈ＝０を基準として、ＣＰＵ１１４Ｃは、スクリーン１０２Ｃが格納されているか、引き出された状態であるのかを判断しているが、この基準に限定されない。例えば、スクリーン１０２Ｃが最大限引き出された状態の高さｈをｈｘとすると、高さｈ＝（１／３）ｈｘを基準として、高さｈ<（１／３）ｈｘの場合には格納状態と判断し、高さｈ≧（１／３）ｈｘの場合には引き出し状態と判断するような構成にしてもよい。
【００８１】
（７）上記した第４の実施例において、スクリーン１０２Ｃがスクリーン格納部１０６から引き出された場合に、プロジェクタ２００Ｄの電源ＯＮ信号とアスペクト比信号とを発信する構成を例示したが、アスペクト比信号のみを発信する構成にしてもよい。例えば、プロジェクタ２００Ｄにおいて、アスペクト比信号を受信したら、電源をＯＮすると共に、アスペクト比の設定をする構成にすれば、上記した実施例と同様の効果を得ることができる。
【００８２】
（８）上記した第４の実施例では、スクリーン１０２Ｃをスクリーン格納部１０６から引き出して、任意の位置で止めることができる構成を例示しているが、予め定められた位置でのみ固定される構成にしてもよい。例えば、引き出されたスクリーンのアスペクト比が、２：１、１６：９、１６：１０、４：３の場合にのみ、固定されるようにしてもよい。このようにすると、アスペクト比算出部２１６において、容易にスクリーンアスペクト比を導出することができる。
【００８３】
（９）上記した実施例では、赤外線通信を利用してプロジェクタを制御する構成を例示しているが、例えば、赤外線以外の周波数帯の電波を用いる無線通信（例えば、Bluetooth）を利用する構成にしてもよい。また、有線通信を利用してもよい。
【００８４】
（１０）上記した実施例において、プロジェクタ２００Ａは、透過型の液晶パネル１５４を用いて、照明光学系１５２からの光を変調しているが、透過型の液晶パネル１５４に限定されず、例えば、デジタル・マイクロミラー・デバイス（ＤＭＤ（登録商標）：Ｄｉｇｉｔａｌ  Ｍｉｃｒｏ−Ｍｉｒｒｏｒ  Ｄｅｖｉｃｅ）や、反射型の液晶パネル（ＬＣＯＳ（登録商標）：Ｌｉｑｕｉｄ  Ｃｒｙｓｔａｌ  ｏｎ  Ｓｉｌｉｃｏｎ）等を用いて、照明光学系１５２からの光を変調する構成にしてもよい。
【００８５】
以上、本発明の種々の実施例について説明したが、本発明はこれら実施例に限定されず、その趣旨を逸脱しない範囲で種々の構成を採ることができることはいうまでもない。例えば、ハードウェアによって実現した機能は、ＣＰＵが所定のプログラムを実行することでソフトウェア的に実現することとしてもよい。
【図面の簡単な説明】
【００８６】
【図１】第１の実施例のプロジェクタシステム１０００の構成を概念的に示す説明図である。
【図２】スクリーン装置１００Ａの概略構成を示すブロック図である。
【図３】プロジェクタ２００Ａの概略構成を示すブロック図である。
【図４】第２の実施例としてのスクリーン装置１００Ｂの概略構成を示すブロック図である。
【図５】スクリーン装置１００Ｂの動作を説明するための図である。
【図６】第３の実施例としてのスクリーン装置１００Ｃの概略構成を示すブロック図である。
【図７】スクリーン装置１００Ｃの外観を概略的に示す説明図である。
【図８】プロジェクタ２００Ｃの概略構成を示すブロック図である。
【図９】スクリーン装置１００Ｃの動作を説明するための図である。
【図１０】プロジェクタ２００Ｃの動作を説明するための図である。
【図１１】第４の実施例としてのスクリーン装置１００Ｄの概略構成を示すブロック図である。
【図１２】プロジェクタ２００Ｄの概略構成を示すブロック図である。
【図１３】スクリーン装置１００Ｄの動作を説明するための図である。
【図１４】プロジェクタ２００Ｄの動作を説明するための図である。
【符号の説明】
【００８７】
２０…ＣＰＵ、７２…リモコン、１００Ａ、１００Ｂ、１００Ｃ、１００Ｄ…スクリーン装置、１０２Ａ、１０２Ｃ…スクリーン、１０２ａ…把持部、１０４…巻き取り部、１０４ａ…巻き取り芯、１０６…スクリーン格納部、１０８Ａ、１０８Ｂ、１０８Ｃ…センサ、１１０Ａ、１１０Ｃ、１１０Ｄ…ＩＲ信号発信部、１１２…電源部、１１４Ａ、１１４Ｃ、１１４Ｄ…ＣＰＵ、１１６…メモリ、１１８…長さ情報取得部、１２０…発電機、１２２…アスペクト比算出部、１５２…照明光学系、１５４…液晶パネル、２００Ａ、２００Ｃ、２００Ｄ…プロジェクタ、２０２…電源部、２０４…ＣＰＵ、２０６Ａ、２０６Ｃ、２０６Ｄ…画像処理部、２０８…メモリ、２１０…外部信号入力部、２１２…光ディスク駆動部、２１４…ＩＲ信号受信部、２１６…アスペクト比算出部、２２６Ｃ、２２６Ｄ…アスペクト比設定部、２５２…光源ランプ、２５４…液晶パネル、２５６…投写光学系、３１０、３２０…商用電源、４００…光ディスク、１０００…プロジェクタシステム
【図１】
2010134041.tif 000003
【図２】
2010134041.tif 000004
【図３】
2010134041.tif 000005
【図４】
2010134041.tif 000006
【図５】
2010134041.tif 000007
【図６】
2010134041.tif 000008
【図７】
2010134041.tif 000009
【図８】
2010134041.tif 000010
【図９】
2010134041.tif 000011
【図１０】
2010134041.tif 000012
【図１１】
2010134041.tif 000013
【図１２】
2010134041.tif 000014
【図１３】
2010134041.tif 000015
【図１４】
2010134041.tif 000016